(57)【要約】【課題】加工コストが少なく、角シャフト用と丸シャフト用とを共用することができ、シャフトと軸穴のクリアランスを小さくすることができる樹脂ベルトチェーン用スプロケットを提供する。【解決手段】丸シャフトと角シャフトとも挿入可能な軸穴を有する樹脂ベルトチェーン用スプロケットにおいて、軸穴が正方形の対角線上に中心を持ち且つ円周内に正方形の角部を含む４つの円と、４つの円のうち隣接する２つの円と正方形の各辺の中点に外接する円によって形取られた外形を有することにより前記課題を解決する。【選択図】図２
2010275048.tif 000002
【特許請求の範囲】
【請求項１】
丸シャフトと角シャフトとも挿入可能な軸穴を有する樹脂ベルトチェーン用スプロケットにおいて、
前記軸穴が正方形の対角線上に中心を持ち且つ円周内に前記正方形の角部を含む４つの円と、該４つの円のうち隣接する２つの円と前記正方形の各辺の中点に外接する円によって形取られた外形を有することを特徴とする樹脂ベルトチェーン用スプロケット。
【請求項２】
前記軸穴の四隅の円周内にキー溝加工を施した部品を装着したことを特徴とする請求項１に記載の樹脂ベルトチェーン用スプロケット。
【請求項３】
前記軸穴の四隅の円周内に摺動性の良い材料からなるアタッチを装着したことを特徴とする請求項１に記載の樹脂ベルトチェーン用スプロケット。
【発明の詳細な説明】
【技術分野】
【０００１】
本発明は、例えば、ビンや缶を搬送する搬送装置に用いられる樹脂ベルトチェーンを掛架するスプロケットに関する。
【背景技術】
【０００２】
従来、樹脂チェーンを組み合わせてベルト状にした樹脂ベルトチェーン用のスプロケットは、熱によるベルト幅の変化に合わせてスプロケットがシャフトに沿ってスライドすることが望ましく、スライド性を考慮して、図５に示すような、軸穴が角穴のものがよく使われている。
【０００３】
また、従動側には、専用アイドラホイールが少ないこともあり、スプロケットを使用し、シャフトを回転させて使用することが多い（例えば、特許文献１参照）。
【先行技術文献】
【特許文献】
【０００４】
【特許文献１】特開平９−３１７８５３号公報
【発明の概要】
【発明が解決しようとする課題】
【０００５】
しかしながら、図５に示すように、角シャフト５１０に対応した軸穴が角穴のスプロケット５００の場合、シャフトの両端部は軸受５２０と組み合わせて使用するため丸く加工する必要があり、丸シャフトを使用する場合と比べ、加工コストが高いという課題があった。
【０００６】
また、角シャフト用と丸シャフト用のスプロケットを別々に製作する必要があるという課題があった。
【０００７】
さらに、シャフトと軸穴の接触が面接触となり、加工時の平行度や熱による変形により摺動抵抗が大きくなる可能性があるが、精度良く加工することが難しいため、シャフトと軸穴のクリアランスを大きく取る必要がある。そのため、シャフトと軸穴のガタが大きくなるという課題があった。
【０００８】
そこで、本発明が解決しようとする技術的課題、すなわち、本発明の目的は、加工コストが少なく、角シャフト用と丸シャフト用とを共用することができ、シャフトと軸穴のクリアランスを小さくすることができる樹脂ベルトチェーン用スプロケットを提供することにある。
【課題を解決するための手段】
【０００９】
まず、本請求項１に係る発明は、丸シャフトと角シャフトとも挿入可能な軸穴を有する樹脂ベルトチェーン用スプロケットにおいて、前記軸穴が正方形の対角線上に中心を持ち且つ円周内に前記正方形の角部を含む４つの円と、該４つの円のうち隣接する２つの円と前記正方形の各辺の中点に外接する円によって形取られた外形を有することにより、前記課題を解決したものである。
【００１０】
そして、本請求項２に係る発明は、請求項１に係る樹脂ベルトチェーン用スプロケットにおいて、前記軸穴の四隅の円周内にキー溝加工を施した部品を装着したことにより、前記課題をさらに解決したものである。
【００１１】
また、本請求項３に係る発明は、請求項１に係る樹脂ベルトチェーン用スプロケットにおいて、前記軸穴の四隅の円周内に摺動性の良い材料からなるアタッチを装着したことにより、前記課題をさらに解決したものである。
【発明の効果】
【００１２】
本請求項１に係る発明によれば、丸シャフトと角シャフトとも挿入可能な軸穴を有する樹脂ベルトチェーン用スプロケットにおいて、軸穴が正方形の対角線上に中心を持ち且つ円周内に正方形の角部を含む４つの円と、４つの円のうち隣接する２つの円と正方形の各辺の中点に外接する円によって形取られた外形を有することにより、スプロケットの軸穴とシャフトとの接触が線接触になり、接触面積が小さくなるため、スプロケットとシャフトとの摺動抵抗が小さくなる。また、スプロケットの軸穴とシャフトとの接触が線接触になることにより、製作時の制約が少なくなり、精度良く製作できるため、スプロケットとシャフトとのクリアランスを小さくできる。
【００１３】
本請求項２に係る発明によれば、請求項１に係る樹脂ベルトチェーン用スプロケットにおいて、軸穴の四隅の円周内にキー溝加工を施した部品を装着したことにより、軸穴の形状を変えることなくキー溝加工した部品、すなわち、キー溝用アタッチを挿入可能であるので、丸シャフト用スプロケットとして使用可能となる。
【００１４】
本請求項３に係る発明によれば、請求項１に係る樹脂ベルトチェーン用スプロケットにおいて、軸穴の四隅の円周内に摺動性の良い材料からなるアタッチを装着したことにより、摺動性の良い異材質部品をシャフトとの接触部に組み込むことが可能であるため、シャフトと軸穴との摺動性が向上する。さらに、アイドラホイールとして使用する際の摺動抵抗や耐摩耗性を向上させることができる。
【図面の簡単な説明】
【００１５】
【図１】本発明の実施例１である樹脂ベルトチェーン用スプロケットの正面図。
【図２】本発明の実施例１である樹脂ベルトチェーン用スプロケットの軸穴の説明図。
【図３】本発明の実施例２である樹脂ベルトチェーン用スプロケットの正面図。
【図４】本発明の実施例３である樹脂ベルトチェーン用スプロケットの正面図。
【図５】従来の樹脂ベルトチェーン用スプロケットの斜視図。
【発明を実施するための形態】
【００１６】
本発明の樹脂ベルトチェーン用スプロケットは、丸シャフトと角シャフトとも挿入可能な軸穴を有し、その軸穴が正方形の対角線上に中心を持ち且つ円周内に正方形の角部を含む４つの円と、４つの円のうち隣接する２つの円と正方形の各辺の中点に外接する円によって形取られた外形を有することにより、加工コストが少なく、角シャフト用と丸シャフト用とを共用することができ、シャフトと軸穴のクリアランスを小さくすることができるものであれば、その具体的な実施の態様は、如何なるものであっても何ら構わない。
【００１７】
例えば、本発明の樹脂ベルトチェーン用スプロケットは、駆動軸に固定して使用する駆動側スプロケットとして使用することも出来るし、固定した軸の上で自由に回転させて使用する従動側スプロケット、すなわちアイドラホイールとして使用することも出来る。
【実施例１】
【００１８】
本発明の一実施形態を図１及び図２に基づいて説明する。
ここで、図１は、本発明の実施例１である樹脂ベルトチェーン用スプロケットの正面図であり、図２は、図１に示した樹脂ベルトチェーン用スプロケットの軸穴の説明図である。
【００１９】
本発明の実施例１の樹脂ベルトチェーン用スプロケット１００は、図１に示すように、丸シャフトと角シャフトとも挿入可能で両方のシャフトとの接触個所が線接触となるような軸穴１１０を有している。
【００２０】
この軸穴１１０の形状について、図２に基づいて説明する。実施例１の軸穴１１０は、図２に示すように、ボス１２０の中央に設けられている。そして、その形状は、正方形Ｒの対角線上に中心を持ち且つ円周内に正方形Ｒの角部を含む４つの円Ｃ１と、これらの４つの円Ｃ１のうち隣接する２つの円Ｃ１と正方形Ｒの各辺の中点Ｍに外接する円Ｃ２にて形取られた外形を有している。軸穴１１０の形状をこのような形状にすることにより、丸シャフトと角シャフトとも挿入可能になるとともに、両方のシャフトとの接触個所が線接触とすることができる。
【実施例２】
【００２１】
次に、本発明の別の実施形態について図３に基づいて説明する。
ここで、図３は、本発明の実施例２である樹脂ベルトチェーン用スプロケットの正面図である。
【００２２】
実施例２の樹脂ベルトチェーン用スプロケット２００の軸穴２１０の形状は、実施例１と同じであるので説明は省略する。実施例２の樹脂ベルトチェーン用スプロケット２００は、図３に示すように、軸穴２１０の四隅の円周内にキー溝加工を施した部品、すなわち、キー用アタッチ２３０を装着している。このようにすることにより、キーを有する丸シャフトと係合させることが可能になり、丸孔スプロケットとして使用することが可能になる。
【実施例３】
【００２３】
次に、本発明のさらに別の実施形態について図４に基づいて説明する。
ここで、図４は、本発明の実施例３である樹脂ベルトチェーン用スプロケットの正面図である。
【００２４】
実施例３の樹脂ベルトチェーン用スプロケット３００の軸穴３１０の形状は、実施例１と同じであるので説明は省略する。実施例３の樹脂ベルトチェーン用スプロケット３００は、図４に示すように、軸穴３１０の四隅の円周内に摺動性の良い材料からなる摺動材アタッチ３３０を装着している。このようにすることにより、丸シャフトを軸穴３１０に貫通させたときに、丸シャフトの側面が摺動性の良い摺動材アタッチ３３０と接触するため丸シャフトと軸穴３１０との摺動性が向上する。そのため、スプロケットをアイドラホイールとして使用するときの摺動抵抗や耐摩耗性を向上させることが可能である。
【符号の説明】
【００２５】
１００、２００、３００  ・・・  樹脂ベルトチェーン用スプロケット
１１０、２１０、３１０  ・・・  軸穴
１２０、２２０、３２０  ・・・  ボス
２３０  ・・・  キー用アタッチ
３３０  ・・・  摺動材アタッチ
【図１】
2010275048.tif 000003
【図２】
2010275048.tif 000004
【図３】
2010275048.tif 000005
【図４】
2010275048.tif 000006
【図５】
2010275048.tif 000007